(57)【特許請求の範囲】
【請求項１】
室内から吸い込んだ室内空気と室外から吸い込んだ室外空気との間で熱交換を行って、前記熱交換後の前記室内空気を前記室外へ吹き出し、前記熱交換後の前記室外空気を前記室内へ吹き出す熱交換換気装置であって、
前記熱交換を行う熱交換器と、前記室外へ吹き出す空気の流れを形成する排気送風機と、前記室内へ吹き出す空気の流れを形成する給気送風機と、前記室内へ吹き出す空気の流路上で生じた水を回収するドレン皿と、前記室内から前記室内空気を吸い込む室内側吸込口と、前記室内へ前記熱交換後の室外空気を吹き出す室内側吹出口とを備え、室外側の端部は前記給気送風機へ送られる前記熱交換前の室外空気が通過する給気通過領域と前記排気送風機へ送られる前記熱交換後の室内空気が通過する排気通過領域とに上下に分割された本体ユニットと、
室外側の端部に第１の通気口及び第２の通気口が設けられ、室内側の端部が開放されている枠体と、該枠体に収容されて該枠体の内部を上下に分割して第１及び第２の空間を画成する第１の部品及び第２の部品とを備え、前記本体ユニットの室外側に着脱可能に連結される接続ユニットとを有し、
前記第１及び第２の部品は、前記第１の通気口を前記第１の空間と連通させ、前記第２の通気口を前記第２の空間と連通させた第１の状態と、前記第１の通気口を前記第２の空間と連通させ、前記第２の通気口を前記第１の空間と連通させた第２の状態とのいずれかの状態で前記枠体に収容可能であり、
前記第１の状態においては、前記熱交換後の前記室内空気が前記排気通過領域から前記第２の空間に流入して前記第２の通気口に向けて送り出されるとともに、前記第１の通気口から前記第１の空間へ吸い込まれた前記室外空気が前記給気通過領域へ流入し、
前記第２の状態においては、前記熱交換後の前記室内空気が前記排気通過領域から前記第２の空間に流入して前記第１の通気口に向けて送り出されるとともに、前記第２の通気口から前記第１の空間へ吸い込まれた前記室外空気が前記給気通過領域へ流入することを特徴とする熱交換換気装置。
【請求項２】
前記本体ユニットは、前記給気通過領域が下側に位置し、前記排気通過領域が上側に位置するように端部が上下に分割されており、
前記接続ユニットは、前記第１の空間が下側に位置し、前記第２の空間が上側に位置するように前記枠体内部が分割されており、
前記第１の部品は、前記排気送風機が挿入され、該排気送風機が挿入される側と反対側に空気導入口が設けられたスクロールケーシングと、片側にくびれが形成されるように前記スクロールケーシングに接続され、前記排気送風機によって前記スクロールケーシングから送り出された空気の流れを案内する風路部とを備え、
前記第２の部品は、隣接する二つの側面に形成された開口と、該開口が形成された面と対向する面の上部を前記開口と隔てる隔壁とを備えており、
前記第１の状態においては、前記第１の部品は前記くびれを上側として前記風路部の端部が前記第２の通気口へ向き、前記第２の部品は開口の一方が前記第１の通気口に向けて前記枠体に収納され、前記排気通過領域から前記第２の空間に流入した前記熱交換後の前記室内空気が、前記風路部のくびれの上側及び前記第２の部品の前記隔壁の上側にそれぞれ形成される前記枠体との隙間を介して前記空気導入口から前記スクロールケーシングに導入されて、前記排気送風機によって前記風路部を介して前記第２の通気口に向けて送り出されるとともに、前記第１の通気口から前記室外空気が前記第１の空間へ吸い込まれて前記給気通過領域へ流入し、
前記第２の状態においては、前記第１の部品が前記くびれを下側として前記風路部の端部を前記第１の通気口へ向き、前記第２の部品が開口の他方を前記第２の通気口に向けて前記枠体に収納され、前記排気通過領域から前記第２の空間に流入した前記熱交換後の前記室内空気が、前記第２の部品の前記隔壁の上側に形成される前記枠体との隙間を介して前記空気導入口から前記スクロールケーシングに導入されて、前記排気送風機によって前記風路部を介して前記第１の通気口に向けて送り出されるとともに、前記室外空気が前記第２の通気口を介して前記第１の空間へ吸い込まれて前記給気通過領域へ流入することを特徴とする請求項１記載の熱交換換気装置。
【発明の詳細な説明】
【技術分野】
【０００１】
本発明は、内蔵した熱交換器を通じて給排気流間で熱交換をしながら給排気による換気を行う空調換気装置に関する。
【背景技術】
【０００２】
従来の天吊埋込形熱交換換気装置では、室外側吸込フード、室外側吹き出しフード、製品の配置により、給排気ダクトのレイアウトを決定しているが、室外側フードの配置や、複数台製品での排気ダクトを一括化したい場合に室外側吹き出し位置と、室外側吸い込み位置とが逆の場合は、製品を上下反転することによって給排気ダクトのレイアウトに対応してきた（例えば、特許文献１参照。）。
【先行技術文献】
【特許文献】
【０００３】
【特許文献１】特公平５−５７４９４号公報
【発明の概要】
【発明が解決しようとする課題】
【０００４】
しかしながら、室外側吸込口と室外側吹出口とを変更するために製品を上下反転した場合は、必然的に室内側吸込口と室内側吹出口も反転してしまうため、室内側給気排気ダクトの配置が制約されてしまう。
【０００５】
また、給水タイプの加湿機能付き天井埋込型熱交換換気装置は、製品内で水を受ける保水皿（ドレン皿）を備えており、製品を反転して取り付けると保水皿が機能を果たさなくなってしまうため、風路接続ダクトの配管は製品レイアウトで決定される。室外側吸込フード、室外側吹出フードと、製品の室外側吸込口、室外側吹出口が逆の場合は、風路接続ダクトの配管が複雑になり余分なダクト圧損が増えてしまう課題がある。
【０００６】
本発明は、上記に鑑みてなされたものであって、室外側の吸込口及び吹出口の位置を入れ替えることが可能な熱交換換気装置を得ることを目的とする。
【課題を解決するための手段】
【０００７】
上述した課題を解決し、目的を達成するために、本発明は、室内から吸い込んだ室内空気と室外から吸い込んだ室外空気との間で熱交換を行って、熱交換後の室内空気を室外へ吹き出し、熱交換後の室外空気を室内へ吹き出す熱交換換気装置であって、熱交換を行う熱交換器と、室外へ吹き出す空気の流れを形成する排気送風機と、室内へ吹き出す空気の流れを形成する給気送風機と、室内へ吹き出す空気の流路上で生じた水を回収するドレン皿と、室内から室内空気を吸い込む室内側吸込口と、室内へ熱交換後の室外空気を吹き出す室内側吹出口とを備え、室外側の端部は給気送風機へ送られる熱交換前の室外空気が通過する給気通過領域と排気送風機へ送られる熱交換後の室内空気が通過する排気通過領域とに上下に分割された本体ユニットと、室外側の端部に第１の通気口及び第２の通気口が設けられ、室内側の端部が開放されている枠体と、枠体に収容されて枠体の内部を上下に分割して第１及び第２の空間を画成する第１の部品及び第２の部品とを備え、本体ユニットの室外側に着脱可能に連結される接続ユニットとを有し、第１及び第２の部品は、第１の通気口を第１の空間と連通させ、第２の通気口を第２の空間と連通させた第１の状態と、第１の通気口を第２の空間と連通させ、第２の通気口を第１の空間と連通させた第２の状態とのいずれかの状態で枠体に収容可能であり、第１の状態においては、熱交換後の室内空気が排気通過領域から第２の空間に流入して第２の通気口に向けて送り出されるとともに、第１の通気口から第１の空間へ吸い込まれた室外空気が給気通過領域へ流入し、第２の状態においては、熱交換後の室内空気が排気通過領域から第２の空間に流入して第１の通気口に向けて送り出されるとともに、第２の通気口から第１の空間へ吸い込まれた室外空気が給気通過領域へ流入することを特徴とする。
【発明の効果】
【０００８】
本発明によれば、室外側風路部を分割することにより、室外側吸込口と室外側吹出口とを変更可能であり、ダクト配管の自由度が向上するという効果を奏する。
【図面の簡単な説明】
【０００９】
【図１】図１は、本発明の実施の形態にかかる熱交換換気装置の平面図である。
【図２】図２は、実施の形態にかかる熱交換換気装置の側面図である。
【図３】図３は、実施の形態にかかる熱交換換気装置の分解斜視図である。
【図４】図４は、実施の形態にかかる熱交換換気装置の排気側送風機の構成を示す図である。
【図５】図５は、室外側吸込口と室外側吹出口とを入れ替える前の接続ユニットの内部の部品配置状態を示す図である。
【図６】図６は、室外側吸込口と室外側吹出口とを入れ替えた後の接続ユニットの内部の部品配置状態を示す図である。
【図７】図７は、室外側吸込口と室外側吹出口とを入れ替える前の接続ユニットの内部の部品配置状態を示す図である。
【図８】図８は、室外側吸込口と室外側吹出口とを入れ替えた後の接続ユニットの内部の部品配置状態を示す図である。
【図９】図９は、室外側風路吹出部品及び室外側風路吸込部品の配置状態と、接続ユニット内部での空気の流れとを模式的に示す図である。
【図１０】図１０は、実施の形態にかかる熱交換換気装置を２台並列に接続する設置形態を示す図である。
【発明を実施するための形態】
【００１０】
以下に、本発明にかかる熱交換換気装置の実施の形態を図面に基づいて詳細に説明する。なお、この実施の形態によりこの発明が限定されるものではない。
【００１１】
実施の形態．
図１は、本発明の実施の形態にかかる熱交換換気装置の平面図である。図２は、実施の形態にかかる熱交換換気装置の側面図である。図３は、実施の形態にかかる熱交換換気装置の分解斜視図である。図４は、実施の形態にかかる熱交換換気装置の排気側送風機の構成を示す図である。図５は、室外側吸込口と室外側吹出口とを入れ替える前の接続ユニットの内部の部品配置状態を示す図である。図６は、室外側吸込口と室外側吹出口とを入れ替えた後の接続ユニットの内部の部品配置状態を示す図である。図７は、室外側吸込口と室外側吹出口とを入れ替える前の接続ユニットの内部の部品配置状態を示す図である。図８は、室外側吸込口と室外側吹出口とを入れ替えた後の接続ユニットの内部の部品配置状態を示す図である。
【００１２】
空調換気装置の箱体を構成する本体ケーシング１は、本体ユニット４０と接続ユニット４１とに分かれ、本体ユニット４０の外郭は天面ケーシング３０、底面ケーシング３１、正面ケーシング３２、３３、側面ケーシング３４及び後面ケーシング３５の６部品で構成されている。本体ユニット４０の室外側に着脱可能に連結される接続ユニット４１の外郭は、天面接続ケーシング３６、底面接続ケーシング３７、側面接続ケーシング３８の３部品で枠体が構成されており、室内側の端部は開放している。
【００１３】
本体ユニット４０の側面ケーシング３４には室内へ空気を吹き出す室内側吹出口としての第３の通気口１２、室内の空気を吸い込む室内側吸込口としての第４の通気口１０が設けられている。また、接続ユニット４１の側面接続ケーシング３８には、第１の通気口１１と第２の通気口１３とが設けられており、第１の通気口１１は外気を吸い込む室外側吸込口となっており、第２の通気口１３は室外へ空気を吹き出す室外側吹出口となっている。
【００１４】
本体ユニット４０の内部には、排気送風機ユニット５０、熱交換器３、給気送風機ユニット２３、加湿装置部２０が配置されている。
【００１５】
熱交換器３は、本体ケーシング１のメンテナンスカバー１５を開くことによりメンテナンス口２４から水平方向に抜き差しできるように組み込まれている。熱交換器３は熱交換器排気通路１８と熱交換器給気通路１９とが内部において斜めに交差する構造となっている。より詳しく言えば、室外側の下方から給気流１７として熱交換器３に流入する室外空気は室内側の上方へ流れ出る。一方、室内側の下方から排気流１６として熱交換器３に流入する室内空気は室外側の上方へ流れ出る。
【００１６】
本体ユニット４０の室外側の端部は流路分離壁８０で上下に分割されており、熱交換器３を通過した排気流１６が上部から室外側へ流出し、熱交換器３へ向かう給気流１７は下部から本体ユニット４０内へ流入することによって、排気路と給気路とが分離されている。すなわち、本体ユニット４０の室外側の端部では、上部は排気流１６が通過する排気通過領域となっており、下部は給気流１７が通過する給気通過領域となっている。また、流路分離壁８０から下方に遮蔽板８１が設けられており、給気路の一部を塞いでいる。
【００１７】
熱交換器３の奥側面と本体ケーシング１（後面ケーシング３５）の内面との間には開閉ダンパ４で開閉できるバイパス風路６が構成されている。開閉ダンパ４でバイパス風路６を開放することにより、排気送風機ユニット５０により熱交換器３に通さず室内空気を室外へ排気することもでき、熱交換を伴わない普通換気を行うこともできる。
【００１８】
また、図４に示すように排気送風機ユニット５０は、シロッコファンで構成される排気送風機羽根５３、排気送風機固定部５４、排気送風機モータ５５から構成されている。一方、室外側風路吹出部品５１は、スクロールケーシング５１ａが形成され、吹出し方向に連続する風路部としての排気口５１ｂが形成された一体の成形物であり、スクロールケーシング５１ａと排気口５１ｂとの境目はくびれている。本体ユニット４０と接続ユニット４１とを接続した際に、排気送風機羽根５３は後述する室外側風路吹出部品５１のスクロールケーシング５１ａ内に挿入されるようになっている。スクロールケーシング５１ａの排気送風機羽根５３が挿入される側と反対側には開口５１ｃが設けられている。
【００１９】
加湿装置部２０については、図１、図２に示すように加湿手段としての加湿器８と、加湿器８で生じるドレンを受容し外部へ排水するドレン皿２１とが設けられ、加湿器８は外部の水道設備などの給水源側に給水接続部２２を介して接続され、加湿用の水が給水されている。加湿器８は透湿膜でできた袋を重ねて積層された構造で、それぞれの袋の中に水が給水され、それぞれの積層された袋と袋との間に給気空気を通すことで袋内の水が透湿膜を通して蒸発されることで給気空気を加湿している。また、給気空気への加湿量を高めるために、加湿器８の上流側に空調コイル７を配置して、空調コイル７で給気空気の温度を上げることで加湿器８からの水の蒸発量を高めている。夏場などで加湿が不要なときでも、空調コイル７は冷房として機能し給水空気を冷却することができる、冷房時の空調コイル７の結露水をドレン皿２１で回収しているとともに、万が一加湿器８から漏水が発生してもドレン皿２１で回収できる。
【００２０】
接続ユニット４１の枠体の内部には、第１の部品としての室外側風路吹出部品５１と、第２の部品としての室外側風路吸込部品５２とが配置されている。また、本体ユニット４０には、製品を天井に固定するための天吊金具３９が設置されている。
【００２１】
室外側風路吸込部品５２は、上面視略正方形状であり、隣接する二つの側面には開口５２ａ、５２ｂが設けられている。なお、本実施の形態では二つの側面の開口５２ａ、５２ｂが繋がっている構成を示しているが、二つの側面の開口５２ａ、５２ｂは分かれていても良い。室外側風路吸込部品５２の開口５２ａ、５２ｂが形成されていない他の二つの側面は、仕切り枠５２ｃによって上部と下部とに分割されている。開口５２ａ、５２ｂの周縁には仕切り枠５２ｃと繋がるように隔壁５２ｄが設けられており、室外側風路吸込部品５２の開口５２ａ、５２ｂが形成されていない二つの側面の上部は、隔壁５２ｄによって開口５２ａ、５２ｂと隔てられている。一方、室外側風路吸込部品５２の開口５２ａ、５２ｂが形成されていない二つの側面の下部は、開口５２ａ、５２ｂと繋がるように開放している。
【００２２】
室外側風路吹出部品５１及び室外側風路吸込部品５２は、接続ユニット４１の内部に並べて配置した際に、接続ユニット４１の内部の空間を上下に分割する（上側に第１の空間（排気通風路２）を形成し下側に第２の空間を形成する）ように構成されている。
【００２３】
室外空気を室内に供給する給気路としては、第１の通気口１１から下流に向かって、室外側風路吸込部品５２、室外吸込用通風路１４、熱交換器３、給気通風路５、給気送風機ユニット２３、加湿装置部２０（空調コイル７及び加湿器８）が配置され、第３の通気口１２へ連通した風路構成としている。
【００２４】
また、室内の空気を室外へ排気する排気路として第４の通気口１０から下流に向かって室内吸込用通風路９、開閉ダンパ４、熱交換器３、排気送風機ユニット５０、室外側風路吹出部品５１及び室外側風路吸込部品５２によって形成された排気通風路２、第２の通気口１３へ連通する風路構成としている。給気路と排気路との間は全経路にわたり独立して画成され、熱交換器３は給気風路を通る給気流１７と排気風路を通る排気流１６との間で熱交換を行っている。
【００２５】
第１の通気口１１が室外側吸込口となり、第２の通気口１３が室外側吹出口となっている状態（第１の状態）では、室外側風路吸込部品５２は、第２の通気口１３に隣接するように接続ユニット４１内に配置されており、開口５２ａは第２の通気口１３と正対しており、開口５２ｂは側面接続ケーシング３８の正面側の内面と正対している。この状態では、第１の通気口１１は、接続ユニット４１内部の下側の空間と繋がっており、第２の通気口１３は接続ユニット４１内部の上側の空間と繋がっている。すなわち、この状態は、第１の通気口１１が給気通過領域に接続され、第２の通気口１３が排気通過領域に接続されている。
【００２６】
本体ユニット４０の室外側端部上側の排気通過領域の空気は、排気送風機固定部５４の開口部分だけではなく、スクロールケーシング５１ａと排気口５１ｂとの境目のくびれた部分の上側及び室外側風路吸込部品５２の上側からから回り込んで、開口５１ｃを介してもスクロールケーシング５１ａに吸い込まれる。
【００２７】
接続ユニット４１に組み付けられている第１の通気口１１、第２の通気口１３は、室外側吸込口及び室外側吹出口としての役割を交換可能である。第１の通気口１１及び第２の通気口１３の役割を入れ替えて、第１の通気口１１を室外側吹出口とし、第２の通気口１３を室外側吸込口とする（第２の状態とする）場合には、天面接続ケーシング３６、側面接続ケーシング３８、室外側風路吹出部品５１、室外側風路吸込部品５２を取り外す。そして、室外側風路吹出部品５１は、排気送風機羽根５３の軸に沿って垂直方向に１８０度反転（上下反転）して、排気口５１ｂが第１の通気口１１に合うように取り付け、室外側吸込部品５２は、第１の通気口１１に正対していた開口５２ａが後面側を向くように回転軸を鉛直方向として水平方向に９０度回転させ、第２の通気口１３に合うように取り付ける。これにより、室外側風路吸込部品５２の開口５２ｂは第２の通気口１３と正対し、開口５２ａは側面接続ケーシング３８の後面側の内面と正対する。この状態では、第１の通気口１１は、接続ユニット４１内部の上側の空間と繋がっており、第２の通気口１３は接続ユニット４１内部の下側の空間と繋がっている。したがって、この状態で接続ユニット４１を本体ユニット４０に接続すると、第１の通気口１１が排気通過領域に接続され、第２の通気口１３が給気通過領域に接続される。
【００２８】
本体ユニット４０の室外側端部上側の排気通過領域の空気は、排気送風機固定部５４の開口部分だけではなく、室外側風路吸込部品５２の上側から回り込んで開口５１ｃを介してもスクロールケーシング５１ａに吸い込まれる。なお、遮蔽板８１が設けられているため、スクロールケーシング５１ａと排気口５１ｂとの境目の部分のくびれの下側から給気通過領域の空気が回り込んで開口５１ｃを介してスクロールケーシング５１ａに吸い込まれることはない。
【００２９】
図９は、室外側風路吹出部品５１及び室外側風路吸込部品５２の配置状態と、接続ユニット４１内部での空気の流れとを模式的に示す図である。図９（ａ）は、第１の通気口１１を室外側吸込口とし、第２の通気口１３を室外側吹出口とした第１の状態であり、図９（ｂ）は、第１の通気口１１を室外側吹出口とし、第２の通気口１３を室外側吸込口とした第２の状態である。図９（ａ）、（ｂ）は、いずれも室外側をから見た状態を示している。また、図９（ａ）、（ｂ）中には、本体ユニット４０側の構成部材である排気送風機固定部５４及び遮蔽板８１も図示しており、排気送風機固定部５４及び遮蔽板８１によって空気の流れが塞がれる部分を図中では網掛けを施して示している。なお、図５、図６にも、図９（ａ）、（ｂ）に対応する空気の流れを矢印で示している。図９（ａ）や図５に示す第１の状態では、室外側風路吹出部品５１のくびれの上側及び室外側風路吸込部品５２の隔壁５２ｄ上側にそれぞれ形成される天面接続ケーシング３６との隙間を介して、排気通過領域から熱交換後の室内空気が接続ユニット４１の内部の上側の空間に流入し（矢印Ａ、Ｂ）、開口５１ｃからスクロールケーシング５１ａに導入され、排気送風機固定部５４の開口からスクロールケーシング５１ａに導入される室内空気（矢印Ｃ）と合流して第２の通気口１３に向けて送り出される（矢印Ｄ）。また、室外の空気が第１の通気口１１を介して接続ユニット４１の内部の下側の空間へ吸い込まれて（矢印Ｅ）、給気通過領域へ流入する。
【００３０】
一方、図９（ｂ）や図６に示す第２の状態においては、室外側風路吸込部品５２の隔壁５２ｄの上側に形成される天面接続ケーシング３６との隙間を介して、排気通過領域から熱交換後の室内空気が接続ユニット４１の内部の上側の空間に流入し（矢印Ｆ）、熱交換後の室内空気が開口５１ｃからスクロールケーシング５１ａに導入され、排気送風機固定部５４の開口からスクロールケーシング５１ａに導入される室内空気（矢印Ｇ）と合流して第１の通気口１１に向けて送り出される（矢印Ｈ）。また、室外の空気が第２の通気口１３を介して接続ユニット４１の内部の下側の空間へ吸い込まれて（矢印Ｉ）、給気通過領域へ流入する。なお、室外側風路吹出部品５１のくびれの下側に形成される底面接続ケーシング３７との隙間は、排気送風機固定部５４や遮蔽板８１によって塞がれるため、給気通過領域の空気が開口５１ｃ側に回り込んでスクロールケーシング５１ａに吸い込まれることはない。
【００３１】
以上のように、室外側風路吹出部品５１及び室外側風路吸込部品５２の向きを変え、位置を入れ替えて配置した上で側面接続ケーシング３８、天面接続ケーシング３６を元の位置に組み付けることにより、第２の通気口１３が室外側吸込口となり、第１の通気口１１が室外側吹出口となる。
【００３２】
図１０は、本実施の形態にかかる熱交換換気装置を２台並列に設置した状態を示す図である。熱交換換気装置６０は、上記の第２の状態であり室外側吹出口６２と室内側吹出口６１とが同じ側に位置している。一方、熱交換換気装置７０は、上記の第１の状態であり室外側吹出口７２と室内側吹出口７１とが異なる側に位置している。熱交換換気装置６０の室外側吹出口６２と熱交換換気装置７０の室外側吹出口７２とが隣接しているため、排気ダクトを一括化することが容易である。また、熱交換器を収容した本体ケーシング部分の姿勢は熱交換換気装置６０、７０とも同じであるため、熱交換換気装置６０、７０は、建造物の天井面に設けられた点検口から熱交換器のメンテナンスを容易に行うことができる。
【００３３】
従来の熱交換換気装置は、室外吸込口と室外吹出口とを入れ替えることができなかったため、並列に配置した２台の熱交換換気装置の室外吹出口同士は隣接しない。このため、２台の熱交換換気装置の室外吹出口を接続するためには複雑な配管が必要になる。また、室外吹出口同士を隣接するために一方の熱交換換気装置を天地逆転して設置する方法もあるが、上記のようにドレン皿を備えた構成の場合には天地逆転しての設置はできないことに加え、熱交換器のメンテナンスのための点検口が建造物の天井面に設けられている場合は、熱交換換気装置を天地逆転して設置すると、点検口が用をなさなくなってしまうという問題も生じる。
【００３４】
このように、本実施の形態にかかる熱交換換気装置は、室外側吸込口と室外側吹出口とを入れ替えることができるため、排気風路の配管を複雑にしなくとも複数台の製品で排気ダクトを一括化できる。
【００３５】
なお、上記の説明では、熱交換後の給気流に空調コイルで冷却及び加熱を行い、さらにその給気流に加湿器で加湿を行うことで、換気と同時に室内の除湿、加湿を行えるようにした構成を例としたが、空調コイルや加湿器を省略した構成として実施することも可能である。また、本体ユニットの室外側の端部では、上部が排気通過領域となっており、下部が給気通過領域となっている構成を例としたが、排気通過領域と給気通過領域との位置関係が逆にした構成とすることも可能である。この場合には、室外側風路吸込部品を上下反転させた形状とすればよい。
【符号の説明】
【００３６】
１  本体ケーシング
２  排気通風路
３  熱交換器
４  開閉ダンパ
５  給気通風路
６  バイパス風路
７  空調コイル
８  加湿器
９  室内吸込用通風路
１０  第４の通気口
１１  第１の通気口
１２  第３の通気口
１３  第２の通気口
１４  室外吸込用通風路
１５  メンテナンスカバー
１６  排気流
１７  給気流
１８  熱交換器排気通路
１９  熱交換器給気通路
２０  加湿装置部
２１  ドレン皿
２２  給水接続部
２３  給気送風機ユニット
３０  天面ケーシング
３１  底面ケーシング
３２、３３  正面ケーシング
３４  側面ケーシング
３５  後面ケーシング
３６  天面接続ケーシング
３７  底面接続ケーシング
３８  側面接続ケーシング
３９  天吊金具
４０  本体ユニット
４１  接続ユニット
５０  排気送風機ユニット
５１  室外側風路吹出部品
５１ａ  スクロールケーシング
５１ｂ  排気口
５２  室外側風路吸込部品
５３  排気送風機羽根
５４  排気送風機固定部
５５  排気送風機モータ
６０、７０  熱交換換気装置
６１、７１  室内側吹出口
６２、７２  室外側吹出口
８０  流路分離壁
８１  遮蔽板
【図１】
0005490037.tif 000002
【図２】
0005490037.tif 000003
【図３】
0005490037.tif 000004
【図４】
0005490037.tif 000005
【図５】
0005490037.tif 000006
【図６】
0005490037.tif 000007
【図７】
0005490037.tif 000008
【図８】
0005490037.tif 000009
【図９】
0005490037.tif 000010
【図１０】
0005490037.tif 000011